(57)【特許請求の範囲】
【請求項１】
情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、
前記ベース体に、前記情報分電盤用箱体内へケーブルを引き込むための引き込み口が開設されているとともに、前記電源コンセントを設置するための複数のコンセント設置部が前記引き込み口の開口縁に設けられている一方、
前記電源コンセントが、前記電源プラグを接続可能なコンセント本体と、前記コンセント本体が固定される基台とを備えているとともに、
前記基台側に弾性を有する係合部が、各前記コンセント設置部に前記係合部が係合可能な被係合部が夫々設けられており、
前記係合部と前記被係合部との係合／解除により、前記電源コンセントを前記コンセント設置部に着脱することができることを特徴とする情報分電盤用箱体。
【請求項２】
情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、
前記ベース体に、前記電源コンセントを設置するための複数のコンセント設置部が設けられている一方、
前記電源コンセントが、前記電源プラグを接続可能なコンセント本体と、前記コンセント本体が固定される基台とを備えているとともに、
前記基台側に弾性を有する係合部が、各前記コンセント設置部に前記係合部が係合可能な被係合部が夫々設けられており、
前記係合部と前記被係合部との係合／解除により、前記電源コンセントを前記コンセント設置部に着脱可能であり、
さらに、前記基台側に、前記ベース体側へ突出しているとともにその先端に係止突部を有する係止片が設けられている一方、
前記コンセント設置部に、前記電源コンセントを前記ベース体の表面に沿ってスライドさせることにより前記係止片が係止／解除される被係止部が設けられていることを特徴とする情報分電盤用箱体。
【発明の詳細な説明】
【技術分野】
【０００１】
本発明は、各種情報機器を収納した情報分電盤に使用される情報分電盤用箱体に関するものである。
【背景技術】
【０００２】
従来、情報分電盤に使用される情報分電盤用箱体としては、後側に配置されるベース体の前側をカバー体で覆ったものが知られている（たとえば特許文献１）。また、そのような情報分電盤用箱体には、収納される情報機器の電源プラグを接続するための電源コンセントを設けなければならない。そして、その電源コンセントは、ベース体の予め決められた位置にネジ止めして固定されることが一般的であった。
【先行技術文献】
【特許文献】
【０００３】
【特許文献１】特開２０１０−１０４０７３号公報
【発明の概要】
【発明が解決しようとする課題】
【０００４】
しかしながら、上述したように電源コンセントの設置位置が予め決められていると、情報機器の種類や情報分電盤用箱体内での情報機器の配置態様によっては、電源コンセントが邪魔になったり、配線がスムーズにいかなかったりすることがある。また、電源コンセントをネジ止めしているため、電源コンセントの設置位置の変更も容易でなく、使い勝手が悪いという問題があった。
【０００５】
そこで、本発明は、上記問題に鑑みなされたものであって、収納する情報機器の種類やそれらの配置態様に応じて、適切な位置に電源コンセントを容易に設置することができ、使い勝手に優れた情報分電盤用箱体を提供しようとするものである。
【課題を解決するための手段】
【０００６】
上記目的を達成するために、本発明のうち請求項１に記載の発明は、情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、前記ベース体に、前記情報分電盤用箱体内へケーブルを引き込むための引き込み口が開設されているとともに、前記電源コンセントを設置するための複数のコンセント設置部が前記引き込み口の開口縁に設けられている一方、前記電源コンセントが、前記電源プラグを接続可能なコンセント本体と、前記コンセント本体が固定される基台とを備えているとともに、前記基台側に弾性を有する係合部が、各前記コンセント設置部に前記係合部が係合可能な被係合部が夫々設けられており、前記係合部と前記被係合部との係合／解除により、前記電源コンセントを前記コンセント設置部に着脱することができることを特徴とする。
また、上記目的を達成するために、本発明のうち請求項２に記載の発明は、情報機器が搭載されるベース体と、前記ベース体の前側を覆うように組み付けられるカバー体とを有し、前記ベース体に、前記情報機器の電源プラグを接続する電源コンセントが設置可能とされた情報分電盤用箱体であって、前記ベース体に、前記電源コンセントを設置するための複数のコンセント設置部が設けられている一方、前記電源コンセントが、前記電源プラグを接続可能なコンセント本体と、前記コンセント本体が固定される基台とを備えているとともに、前記基台側に弾性を有する係合部が、各前記コンセント設置部に前記係合部が係合可能な被係合部が夫々設けられており、前記係合部と前記被係合部との係合／解除により、前記電源コンセントを前記コンセント設置部に着脱可能であり、さらに、前記基台側に、前記ベース体側へ突出しているとともにその先端に係止突部を有する係止片が設けられている一方、前記コンセント設置部に、前記電源コンセントを前記ベース体の表面に沿ってスライドさせることにより前記係止片が係止／解除される被係止部が設けられていることを特徴とする。
【発明の効果】
【０００７】
本発明によれば、ベース体に、電源コンセントを設置するための複数のコンセント設置部が設けられている一方、電源コンセントが、電源プラグを接続可能なコンセント本体と、コンセント本体が固定される基台とを備えているとともに、基台側に弾性を有する係合部が、各コンセント設置部に係合部が係合可能な被係合部が夫々設けられており、係合部と被係合部との係合／解除により、電源コンセントをコンセント設置部に着脱することができるようになっている。したがって、電源コンセントの設置にネジや工具等が必要でなく、電源コンセントの設置作業が非常に容易である上、収納する情報機器の種類やそれらの配置態様等に応じて電源コンセントの設置位置を容易に変更することができるため、使い勝手が良い。
また、請求項１に記載の発明によれば、ベース体に、情報分電盤用箱体内へケーブルを引き込むための引き込み口が開設されているとともに、コンセント設置部が、引き込み口の開口縁に設けられているため、引き込み口の一部を覆うように電源コンセントを配置させることができ、情報分電盤用箱体内のスペースを効率良く使用することができ、情報分電盤用箱体内の設計自由度の向上等、使い勝手の一層の向上を図ることができる。
さらに、請求項２に記載の発明によれば、基台側に、ベース体側へ突出しているとともにその先端に係止突部を有する係止片が設けられている一方、コンセント設置部に、電源コンセントをベース体の表面に沿ってスライドさせることにより係止片が係止／解除される被係止部が設けられている。そして、電源コンセントのベース体への設置に係り、係合部と被係合部との係合のみならず、電源コンセント側のスライドに伴って係止片を被係止部へ係止させるようにしているため、電源コンセントを強固にベース体に設置することができる。
【図面の簡単な説明】
【０００８】
【図１】情報分電盤の外観を示した斜視説明図である。
【図２】ベース体からカバー体を取り外した状態を示した斜視説明図である。
【図３】ベース体から機器載置板を取り外した状態を示した斜視説明図である。
【図４】ベース体から電源コンセントを取り外した状態を示した斜視説明図である。
【図５】図４の状態にあるベース体を前側から示した説明図である。
【図６】電源コンセントを示した斜視説明図である。
【図７】電源コンセントの説明図であり、（ａ）は上側から、（ｂ）は前側から、（ｃ）は右側から、（ｄ）は下側から夫々示している。
【図８】基台の説明図であり、（ａ）は前側から、（ｂ）は右斜め上側から夫々示している。
【図９】機器載置板から情報機器が取り除かれたベース体を示した斜視説明図である。
【図１０】図９の状態にあるベース体を前側から示した説明図である。
【図１１】図１０中のＡ−Ａ線断面を示した説明図である。
【図１２】機器載置板の説明図であり、（ａ）は上側から、（ｂ）は右斜め上側から、（ｃ）は前側から、（ｄ）は右側から夫々示している。
【図１３】機器載置板をベース体に取り付ける様子を示した説明図である。
【図１４】図９の状態から機器載置板の取付位置が変更されたベース体を示した説明図である。
【発明を実施するための形態】
【０００９】
以下、本発明の一実施形態となる情報分電盤用箱体（以下、箱体と称す）について、図面にもとづき詳細に説明する。
【００１０】
図１は、情報分電盤１の外観を示した斜視説明図である。図２は、ベース体４からカバー体５を取り外した状態を示した斜視説明図である。図３は、ベース体４から機器載置板３０を取り外した状態を示した斜視説明図である。図４は、ベース体４から電源コンセント２０、２０を取り外した状態を示した斜視説明図である。図５は、図４の状態にあるベース体４を前側から示した説明図である。図６は、電源コンセント２０を示した斜視説明図である。図７は、電源コンセント２０の説明図であり、（ａ）は上側から、（ｂ）は前側から、（ｃ）は右側から、（ｄ）は下側から夫々示している。図８は、基台２２の説明図であり、（ａ）は前側から、（ｂ）は右斜め上側から夫々示している。図９は、機器載置板３０から情報機器３が取り除かれたベース体４を示した斜視説明図である。図１０は、図９の状態にあるベース体４を前側から示した説明図である。図１１は、図１０中のＡ−Ａ線断面を示した説明図である。図１２は、機器載置板３０の説明図であり、（ａ）は上側から、（ｂ）は右斜め上側から、（ｃ）は前側から、（ｄ）は右側から夫々示している。図１３は、機器載置板３０をベース体４に取り付ける様子を示した説明図である。図１４は、図９の状態から機器載置板３０の取付位置が変更されたベース体４を示した説明図である。
【００１１】
情報分電盤１は、箱体２内に情報機器３等を収納してなるものであって、箱体２は、情報機器３等が搭載される板状のベース体４と、ベース体４の前側を覆うカバー体５とを備えている。カバー体５は、前面、左右両側面、及び上下両面を有して、後側に開口する箱状に形成されている。また、カバー体５の前面の左右両側には、前面から夫々隣り合う側面へ跨がるように把持部６、６が設けられている。さらに、カバー体５の上下両面には、箱体２内部を通気するための多数の通気孔７、７・・が穿設されている。一方、ベース体４は、前後方向が厚み方向となる板状に形成されており、その中央部には、図示しない情報機器をネジ止めして設置可能な設置板１１が備えられている。また、ベース体４には、電源コンセント２０を設置するためのコンセント設置部１５が複数箇所に設けられており、電源コンセント２０の設置位置を選択可能となっている。さらに、ベース体４には、上面に情報機器３を載置可能な機器載置板３０が、ベース体４から前側へ起立するような姿勢で取付可能となっている。そして、以上のような箱体２を有する情報分電盤１は、ベース体４を壁面等に固定した上で、設置板１１にネジ止めしたり機器載置板３０を利用したりして、必要な情報機器３をベース体４に設置し、最後にベース体４の前側にカバー体５を組み付けることで組み立て可能となっている。
【００１２】
ここで、まず本発明の要部の一つである電源コンセント２０とベース体４における電源コンセント２０の設置構造とについて説明する。
電源コンセント２０は、基台２２と、電源プラグを差し込み可能であり、基台２２の前面にネジ止めされるコンセント本体２１とからなる。基台２２は、左右方向へ長い略方体状の合成樹脂製ブロック体であり、上面の左部と右部とには、後側（ベース体４側）へ延びる脚片２３Ａと、その先端上面に設けられ、上側へ突出する係止突部２３Ｂとからなる係止片２３が夫々設けられている。また、基台２２の下面で、上面側の係止片２３、２３と対向する箇所にも、後側へ延びる脚片２３Ａと、その先端下面に設けられ、下側へ突出する係止突部２３Ｂとからなる係止片２３、２３が夫々設けられている。さらに、基台２２の上面で、右側の係止片２３の更に右側には、右側へ延びて上下方向に弾性を有する弾性片２４Ａと、弾性片２４Ａの先端から後側へ突設された係合突部２４Ｂとからなる係合部２４が設けられている。一方、基台２２の前面は略平坦に成形されており、その前面には、コンセント本体２１をネジ止めするための複数のネジ孔２５、２５・・が設けられている。
【００１３】
一方、ベース体４における設置板１１の上側には、情報機器に接続するケーブルを引き込むための２つの引き込み口１２Ａ、１２Ｂを左右に並べてなる上引き込み部１３Ａが設けられている。また、設置板１１の下側にも、２つの引き込み口１２Ｃ、１２Ｄを左右に並べてなる下引き込み部１３Ｂが設けられている。さらに、上下の両引き込み部１３Ａ、１３Ｂには、各引き込み口１２Ａ〜１２Ｄの内側へ突出する設置リブ１４、１４が、引き込み口１２Ａ〜１２Ｄの上縁及び下縁に沿って左右に延設されている。また、各設置リブ１４の前後方向での位置は、各引き込み口１２Ａ〜１２Ｄの後端よりも上記係止突部２３Ｂの前後方向での厚みと略同じだけ前側となっている。そして、上下の両引き込み部１３Ａ、１３Ｂにおける引き込み口１２Ａ〜１２Ｄの開口縁であって、特に設置リブ１４、１４に、電源コンセント２０を設置するためのコンセント設置部１５が、夫々３箇所（左右両端部及び中央部）ずつ設けられている。
【００１４】
各コンセント設置部１５は、４つの被係止部１６、１６・・と１つの被係合部１７とを備えている。各被係止部１６は、設置リブ１４を係止突部２３Ｂの左右幅と略同じ幅にわたって切り欠いた切り欠き部１６Ａと、切り欠き部１６Ａから左右へ係止突部２３Ｂの左右幅と略同じ距離だけ離れた位置（なお、各コンセント設置部１５毎に、切り欠き部１６Ａから右側へ離れるか、それとも左側へ離れるかは統一されている）において、設置リブ１４の後面から後側へ立設された塞き止め面１６Ｂとからなる。また、被係合部１７は、設置リブ１４の前面に設けられた凹部として形成されている。そして、各コンセント設置部１５では、上側の設置リブ１４に２つの被係止部１６、１６が左右に並んで設けられているとともに、下側の設置リブ１４で上側の設置リブ１４に設けられた被係止部１６、１６と対向する位置に、残り２つの被係止部１６、１６が左右に並んで設けられている。また、後述の如くして被係止部１６、１６・・に電源コンセント２０の係止片２３、２３・・を係止させた際、電源コンセント２０の係合部２４に対応する位置に被係合部１７が設けられている。なお、各設置リブ１４における左右に並んだ被係止部１６、１６間の距離は、電源コンセント２０における左右に並んだ係止片２３、２３間の距離と同じとなっている。
【００１５】
上述したような電源コンセント２０をベース体４に設置するにあたっては、ベース体４に６箇所設けられているコンセント設置部１５、１５・・から適切なコンセント設置部１５を選択する。そして、電源コンセント２０の係止突部２３Ｂ、２３Ｂ・・を被係止部１６、１６・・の切り欠き部１６Ａ、１６Ａ・・にあてがい、後側へ押し込んで係止突部２３Ｂ、２３Ｂ・・を設置リブ１４、１４よりも後側へ位置させる。そして、そのまま電源コンセント２０を、ベース体４の前面に沿って塞き止め面１６Ｂ、１６Ｂ・・側へ左側若しくは右側へスライドさせれば、係止突部２３Ｂ、２３Ｂ・・が設置リブ１４の後側へ入り込んで、係止片２３、２３・・が被係止部１６、１６・・に係止する。また、このスライドにより、後側への押し込み時に弾性変形していた弾性片２４Ａが元の状態に復帰して係合突部２４Ｂが被係合部１７に係合し、係合部２４が被係合部１７に係合する。そして、この係止片２３、２３・・の被係止部１６、１６・・への係止、及び係合部２４の被係合部１７の係合をもって、電源コンセント２０は、コンセント設置部１５に固定されてベース体４に設置される。なお、当該設置状態において、電源コンセント２０は引き込み口１２Ａ〜１２Ｄの一部の前側を覆っている。
【００１６】
また、電源コンセント２０の設置位置を変更したい場合には、設置状態にある電源コンセント２０の係合部２４の弾性片２４Ａを変形させ、係合突部２４Ｂと被係合部１７との係合を解除すればよい。すると、電源コンセント２０の左右方向へのスライド（ベース体４の前面に沿ってのスライド）が可能となるため、電源コンセント２０をスライドさせて係止片２３、２３・・と被係止部１６、１６・・との係止を解除すれば、電源コンセント２０をベース体４から取り外すことができる。
【００１７】
次に本発明の要部の一つである機器載置板３０とベース体４における機器載置板３０の取付構造とについて説明する。
機器載置板３０は、上下方向が厚み方向となる合成樹脂製の板体であって、前部は情報機器３を載置する機器載置部として、後部はベース体４への取付部として夫々機能するようになっている。この機器載置部には、上下方向に貫通する多数の設置孔３１、３１・・が開設されている。そして、当該設置孔３１、３１・・を利用して、弾性を有するバンド部材（図示せず）を情報機器３に巻回させることで、機器載置部上で情報機器３を固定可能となっている。また、機器載置部の前端（機器設置板３０の前端）には、機器載置部の上面よりも上側へ突出しており、情報機器３が機器載置部上から転落する事態を防止する転落防止壁３２が設けられている。一方、取付部は、機器載置部よりも薄肉とされており、該取付部の上面における後端縁には、取付部の上面よりも上方へ突出しており、機器載置板３０をベース体４に掛止するための掛止リブ３３が、後端縁に沿って左右方向へ延設されている。また、取付部の下面における後端部は、後方へ向かって先細りするような傾斜面３４として成形されている。さらに、取付部の下面には、取付部は勿論、機器載置部の下面よりも下方へ突出する支持リブ３５が左右方向へ延設されている。
【００１８】
一方、ベース体４における下引き込み部１３Ｂの更に下側には、機器載置板３０を取り付けるための取付空間４０が設けられている。取付空間４０は、前側へ突き出た底面４１と、底面４１の上方に設けられ、底面４１の後半分程度を覆う天面４２と、底面４１の左右両端部において上方へ立設された側面４３、４３とに囲まれ、前面と上面の前半分とに開口した空間となっている。そして、天面４２の下面（取付空間４０内側の面）には、下方へ突出する被掛止リブ４４が、両側面４３、４３間にわたって左右方向へ延設されている。また、底面４１の上面（取付空間４０内側の面）には、上方へ突出する支持突条４５が、両側面４３、４３間にわたって左右方向へ延設されている。なお、取付空間４０の左右幅は、機器載置板３０の左右幅よりも十分に長い。また、取付空間４０の前後幅（特に底面４１の前後幅）は、機器載置板３０の取付部の前後幅と略同じとなっている。
【００１９】
そして、上述したような機器載置板３０をベース体４に取り付けるにあたっては、機器載置板３０をベース体４に対して傾斜させた姿勢とし、取付部を取付空間４０内に差し込む。それから、機器載置板３０の後端側を中心に前端側を下側へ回動させつつ、機器載置板３０の掛止リブ３３側を取付空間４０内の奥側へ押し込んでいく（図１３）。そして最終的に、機器載置板３０をベース体４の前面に対して略９０度起立する起立姿勢とした際、掛止リブ３３が被掛止リブ４４よりも後方へ回り込んで、掛止リブ３３が被掛止リブ４４に掛止することで、機器載置板３０はベース体４へ取り付けられることになる（図１１）。この取付状態にあっては、支持リブ３５の端面が底面４１上に当接しているとともに、支持リブ３５の先端後面と支持突条４５の前面とが当接しており、機器設置板３０のガタ付きが防止されている。
【００２０】
また、箱体２内部に収納される情報機器の種類等に応じて、取付空間４０内での機器設置板３０の取付位置を調整したい場合には、取付状態にある機器設置板３０を僅かに持ち上げて支持リブ３５を底面４５から浮かせた状態とする。そして、その状態のまま、左右方向へ機器設置板３０をスライドさせれば、図９に示すように右側の側面４３に当接する右端位置と、図１４に示すように左側の側面４３に当接する左端位置との間で、機器設置板３０の取付位置を自由に調整することができる。このとき、掛止リブ３３は、被掛止４４の後側に位置したままとなっており、機器設置板３０の左右方向へのスライドは、被掛止リブ４４に案内される格好でスムーズに行われることになる。なお、機器設置板３０が必要なくなった場合には、機器設置板３０の前端側を持ち上げて掛止リブ３３と被掛止リブ４４との掛止を解除した後、後端側が取付空間４０内から抜け出るように機器設置板３０を前方へ引き出せばよい。
【００２１】
以上のような構成を有する箱体２によれば、ベース体４に６箇所ものコンセント設置部１５、１５・・が設けられているとともに、電源コンセント２０側（基台２２側）に係止片２３、２３・・及び係合部２４を、各コンセント設置部１５に被係止部１６、１６・・及び被係合部１７を夫々設け、係止片２３、２３・・の被係止部１６、１６・・への係止と係合部２４の被係合部１７への係合とによって、電源コンセント２０をコンセント設置部１５に着脱自在に設置可能している。したがって、電源コンセント２０の設置にネジや工具等が必要でなく、電源コンセント２０の設置作業が非常に容易である上、収納する情報機器の種類やそれらの配置態様等に応じて電源コンセント２０の設置位置を容易に変更することができるため、使い勝手が良い。
【００２２】
また、箱体２内にケーブルを引き込むための引き込み口１２Ａ〜１２Ｄの開口縁にコンセント設置部１５、１５・・を設けているため、引き込み口１２Ａ〜１２Ｄの一部を覆うように電源コンセント２０を配置させることができ、箱体２内のスペースを効率良く使用することができ、箱体２内の設計自由度の向上等、使い勝手の一層の向上を図ることができる。
さらに、電源コンセント２０のベース体４への設置に係り、係合部２４を被係合部１７へ係合させるのみならず、電源コンセント２０側のスライドに伴って係止片２３、２３・・を被係止部１６、１６・・へ係止させるようにしているため、電源コンセント２０を強固にベース体４に設置することができる。
【００２３】
さらにまた、機器載置板３０の後端縁に、取付部の上面よりも上方へ突出しており、機器載置板３０をベース体４に掛止するための掛止リブ３３を、後端縁に沿って左右方向へ延設する一方、ベース体４における下引き込み部１３Ｂの更に下側に、前側へ突き出た底面４１と、底面４１の上方に設けられ、下方へ突出する被掛止リブ４４を備えた天面４２とを有する取付空間４０を設けている。そして、掛止リブ３３と被掛止リブ４４との掛止／解除により、機器載置板３０をベース体４に着脱自在に取付可能としている。したがって、必要に応じて機器載置板３０を容易に着脱することができ、使い勝手が非常に良い。
【００２４】
またさらに、機器載置板３０の取付部の下面における後端部を、後方へ向かって先細りするような傾斜面３４として成形している。したがって、機器載置板３０のベース板４への着脱にあたり、機器載置板３０をスムーズに回動させることができ、機器載置板３０の着脱作業の一層の簡素化を図ることができる。
加えて、取付空間４０の左右幅を、機器載置板３０の左右幅よりも十分に長くしており、掛止リブ３３と被掛止リブ４４との掛止を維持したまま、取付空間４０内において機器載置板３０を左右方向へスライド可能とした。したがって、収納する情報機器の種類やそれらの配置態様等に応じて機器載置板３０の取付位置をも容易に変更することができ、使い勝手が極めて良い。
【００２５】
なお、本発明に係る箱体の構造は、上記実施形態の態様に何ら限定されるものではなく、ベース体における電源コンセントの設置構造や機器載置板の取付構造等について、本発明の趣旨を逸脱しない範囲で、必要に応じて適宜変更することができる。
【００２６】
たとえば、ベース体におけるコンセント設置部の数や位置等については、上記実施形態の数や位置に何ら限定されることはなく、適宜変更することができる。
また、電源コンセント側に設ける係止片や係合部の数や位置、形状等についても適宜変更可能であり、複数の係合部を設けることで係止片のない電源コンセントとしても何ら問題はない。
【００２７】
さらに、ベース体に設ける引き込み口の数や位置等についても上記実施形態のものに限定されることはないし、引き込み口の開口縁以外の箇所にコンセント設置部を設けることも可能である。
加えて、機器載置板を備えていない情報分電盤用箱体についても本発明は好適に採用することができるし、機器載置板を備えていたとしても、上記実施形態の如く着脱自在であったり、スライド可能であったりしていなくて何ら問題はない。
【符号の説明】
【００２８】
１・・情報分電盤、２・・箱体（情報分電盤用箱体）、４・・ベース体、５・・カバー体、１１・・設置板、１２Ａ〜１２Ｄ・・引き込み口、１３Ａ、１３Ｂ・・引き込み部、１４・・設置リブ、１５・・コンセント設置部、１６・・被係止部、１７・・被係合部、２０・・電源コンセント、２１・・コンセント本体、２２・・基台、２３・・係止片、２４・・係合部、３０・・機器載置板、４０・・取付空間。
【図１】
0006622111.tif 000002
【図２】
0006622111.tif 000003
【図３】
0006622111.tif 000004
【図４】
0006622111.tif 000005
【図５】
0006622111.tif 000006
【図６】
0006622111.tif 000007
【図７】
0006622111.tif 000008
【図８】
0006622111.tif 000009
【図９】
0006622111.tif 000010
【図１０】
0006622111.tif 000011
【図１１】
0006622111.tif 000012
【図１２】
0006622111.tif 000013
【図１３】
0006622111.tif 000014
【図１４】
0006622111.tif 000015